(57)【要約】【課題】雄部材を雌部材に差し込むにあたっての挿入力を留め付け対象物側への雌部材の掛合力を低下させることなく、できる限り軽減できるようにする。【解決手段】雌部材２の差込部２１には、雄部材１の軸部１１の入れ込み空間２１ｆが形成されている。雄部材１の軸部１１には、雌部材２の入れ込み空間２１ｆ内に入れ込まれた際に、雌部材２の弾性掛合片２１ａの内面に接して弾性掛合片２１ａの撓み込みを阻止する太さを備えた阻止部１１ａと、雄部材１の軸部１１を雌部材２の入れ込み穴２０ａから入れ込み空間２１ｆに入れ込むことに伴って一旦弾性変形した後、入れ込み空間２１ｆに軸部１１を入れ込み切った位置で弾発して、雌部材２の差込部２１における横向きの割溝２１ｇに内方から入り込み掛合する抜け止め掛合片１１ｂとが備えられている。【選択図】    図１０
2004270874.tif 000002
【特許請求の範囲】
【請求項１】
頭部と、軸部とを備えた雄部材と、
基部と、留め付け対象物に形成された取り付け穴への差込部とを備えると共に、この差込部に取り付け穴へのこの差込部の差し込みに伴って一旦内向きに撓み込んだ後、この取り付け穴に差込部を差し込み切った位置で弾発して基部との間で留め付け対象物を挟む弾性掛合片を備えた雌部材とを備えており、
雌部材の差込部には、雄部材の軸部の入れ込み空間が形成されていると共に、
雌部材の基部には、この入れ込み空間に連通した入れ込み穴が形成されており、
雌部材の弾性掛合片は、差込部の差し込み方向に沿った一対の縦向きの割溝と、この一対の縦向きの割溝の上端間に亘る横向きの割溝とによって区分された差込部の一部によって差込部の先端側を中心として入れ込み穴の内方に向けて撓み込み可能に構成されており、
雄部材の軸部には、雌部材の入れ込み空間内に入れ込まれた際に、この雌部材の弾性掛合片の内面に接してこの弾性掛合片の撓み込みを阻止する太さを備えた阻止部と、
この雄部材の軸部を雌部材の入れ込み穴から入れ込み空間に入れ込むことに伴って一旦弾性変形した後、この入れ込み空間に軸部を入れ込み切った位置で弾発して、雌部材の差込部における横向きの割溝に内方から入り込み掛合する抜け止め掛合片とが備えられていることを特徴とする留め具。
【請求項２】
雄部材と雌部材とが、一端を雄部材の頭部に連接させ、かつ、他端を雌部材の基部に連接させた屈曲又は湾曲可能な連接片によって連接してあることを特徴とする請求項１記載の留め具。
【発明の詳細な説明】
【０００１】
【発明の属する技術分野】
この発明は、雄部材と雌部材とを備えており、パネルなどの留め付け対象物に形成された取り付け穴に雌部材を差し込むことによりこの雌部材を留め付け対象物に掛合させた後、この雌部材内に雄部材の一部を入れ込むことにより、この掛合状態を安定的に確保できるようにした留め具の改良に関する。
【０００２】
【従来の技術】
外筒体（つまり雌部材）と挿入体（つまり雄部材）とからなり、取り付け穴に外筒体を差し込んだ後、この外筒体の中空部に挿入体の棒体を挿入させることにより、外筒体の拡開部を外向きに開き出させて、このように開き出された拡開部と外筒体のフランジ部とで取り付け穴の備えられた対象物への留め付けをなす留め具として、特許文献１に示されるものがある。
【０００３】
【特許文献１】
実公平２−１５２６号公報
【０００４】
【発明が解決しようとする課題】
しかるに特許文献１に示される留め具にあっては、外筒体の拡開部の開き出しをこの外筒体への挿入体の挿入によらしめていることから、この外筒体への挿入体の挿入力を低減させることに限界を有していた。すなわち、外筒体の拡開部の剛性を低めれば、外筒体への挿入体の挿入力を低くできるが、単純にこのようにしてしまうと取り付け穴に対する拡開部の掛合力を低下させてしまうこととなる。
【０００５】
また、この種の留め具にあっては、外筒体内に入れ込みきられた挿入体の抜け出しの防止を確保する必要があるが、特許文献１のものにあっては、挿入体が入れ込み切られた位置での棒体の先端側に形成された顎状部に対し外筒体の拡開部の先端内側部を掛合させるようにしている。しかしながら、かかる挿入体は前記入れ込みきられた状態から予期せず抜け出すようなことがないように外筒体側に掛合されれば足り、開き出させることに一定の力を要することとせざるを得ない前記拡開部によってこの挿入体の抜け出しを防止させるようにしなければ、この点においても挿入体の挿入力の低減を図ることができるといえる。
【０００６】
そこでこの発明は、雄部材と雌部材とを備えており、パネルなどの留め付け対象物に形成された取り付け穴に雌部材を差し込むことによりこの雌部材を留め付け対象物に掛合させた後、この雌部材内に雄部材の一部を入れ込むことにより、この掛合状態を安定的に確保できるようにした留め具において、雄部材を雌部材に差し込むにあたっての挿入力を留め付け対象物側への雌部材の掛合力を低下させることなく、できる限り軽減できるようにすることを主たる目的とする。
【０００７】
【課題を解決するための手段】
前記目的を達成するために、請求項１記載の発明にあっては、留め具が以下の（１）〜（４）の構成を備えたものとした。
（１）頭部と、軸部とを備えた雄部材と、
（２）基部と、留め付け対象物に形成された取り付け穴への差込部とを備えると共に、この差込部に取り付け穴へのこの差込部の差し込みに伴って一旦内向きに撓み込んだ後、この取り付け穴に差込部を差し込み切った位置で弾発して基部との間で留め付け対象物を挟む弾性掛合片を備えた雌部材とを備えており、
（３）雌部材の差込部には、雄部材の軸部の入れ込み空間が形成されていると共に、
雌部材の基部には、この入れ込み空間に連通した入れ込み穴が形成されており、
雌部材の弾性掛合片は、差込部の差し込み方向に沿った一対の縦向きの割溝と、この一対の縦向きの割溝の上端間に亘る横向きの割溝とによって区分された差込部の一部によって差込部の先端側を中心として入れ込み穴の内方に向けて撓み込み可能に構成されており、
（４）雄部材の軸部には、雌部材の入れ込み空間内に入れ込まれた際に、この雌部材の弾性掛合片の内面に接してこの弾性掛合片の撓み込みを阻止する太さを備えた阻止部と、
この雄部材の軸部を雌部材の入れ込み穴から入れ込み空間に入れ込むことに伴って一旦弾性変形した後、この入れ込み空間に軸部を入れ込み切った位置で弾発して、雌部材の差込部における横向きの割溝に内方から入り込み掛合する抜け止め掛合片とが備えられている。
【０００８】
かかる構成によれば、
（１）留め付け対象物の取り付け穴に雌部材の差込部を差し込むことにより、この雌部材の基部と弾性掛合片とにより、留め付け対象物を挟んで、この留め付け対象物に雌部材をワンタッチで掛合させることができる。すなわち、雌部材の差し込み手前側にある取り付け穴の穴口部に基部を、差し込み先側にある取り付け穴の穴口部に弾性掛合片をその弾発によって引っかけさせることができ、これにより、留め付け対象物に対し雌部材を掛合させることができる。
（２）次いで、留め付け対象物に対してこのように雌部材を掛合させた後、この雌部材の基部に設けられた入れ込み穴から雄部材の軸部を雌部材内に入れ込ませることにより、この軸部を差込部の入れ込み空間に入れ込ませることができる。そして、このように入れ込まれた雄部材の軸部によって、雌部材の弾性掛合片の内向きへの撓み込みを阻止させることができる。これにより、留め付け対象物に対する雌部材の掛合状態を安定的に確保させることができる。
（３）雄部材には、かかる雌部材の入れ込み空間に対する軸部の入れ込みに伴って、雌部材の差込部に形成された横向きの割溝に内方から入り込んで掛合する抜け止め掛合片が形成してあることから、この入れ込み空間に雄部材の軸部を入れ込み切った状態は安定的に維持される。雄部材の抜け止め掛合片は、雌部材内からの雄部材の軸部の抜け出しを阻止する大きさの掛合力をもって前記横向きの割溝に掛合されれば足りることから、この抜け止め掛合片の剛性を高める必要はなく、すなわち、抜け止め掛合片は撓み易く構成できる。これにより、留め付け対象物に掛合された雌部材内への雄部材の軸部の入れ込みに必要な挿入力をできる限り軽減させることができる。また、雄部材の抜け止め掛合片は、雌部材の差込部における横向きの割溝に掛合されることから、雌部材の弾性掛合片を形成させるための横向きの割溝を利用して、雌部材の構造を複雑にすることなく、雌部材内に軸部を入れ込み切らせた雄部材のその抜け止めを防止する雌部材との掛合をなさしめることができる。
【０００９】
また、請求項２記載の発明あっては、請求項１記載の留め具における雄部材と雌部材とが、一端を雄部材の頭部に連接させ、かつ、他端を雌部材の基部に連接させた屈曲又は湾曲可能な連接片によって連接してあることを特徴としている。
【００１０】
かかる構成によれば、雌部材に雄部材を入れ込ませるまでの間、つまり、両者を組み合わせるまでの間も、雌部材と雄部材とを一体的に取り扱うことができ、留め付け作業を行い易くすることができる。また、雌部材を留め付け対象物に留め付けた後は、連接片を屈曲又は湾曲させて、このように留め付けられた雌部材内に雄部材の軸部を支障なく入れ込むことができる。
【００１１】
【発明の実施の形態】
以下、図１ないし図１２に基づいて、この発明の典型的な実施の形態について説明する。
【００１２】
なお、ここで図１ないし図７は、実施の形態にかかる留め具をそれぞれ示しており、また、図８は、かかる留め具を構成する雌部材２を断面の状態として、また、図９は、かかる留め具を構成する雄部材１を断面の状態として、図１０は、かかる雌部材２に雄部材１の軸部１１を入れ込み切らせた状態を断面の状態として、それぞれ示している。また、図１１は、留め付け対象物Ｐに形成された取り付け穴Ｐｈに雌部材２の差込部２１を入れ込み切らせた状態を、また、図１２は、図１１の状態から雌部材２内に雄部材１の軸部１１を入れ込み切らせた最終的な留め付け状態を、それぞれ示している。
【００１３】
この実施の形態にかかる留め具は、雄部材１と雌部材２とを備えており、パネルＰ’などの留め付け対象物Ｐに形成された取り付け穴Ｐｈに雌部材２を差し込むことによりこの雌部材２を留め付け対象物Ｐに掛合させた後、この雌部材２内に雄部材１の一部を入れ込むことにより、この掛合状態を安定的に確保できるようにしたものであって、これにより、取り付け穴Ｐｈをそれぞれ備えた二枚以上のパネルＰ’、Ｐ’の留め付けをなしたり、掛合された雌部材２を利用してこの雌部材２の掛合された留め付け対象物Ｐに対し別の部材を取り付けたりして用いられるものである。
【００１４】
かかる雄部材１は、
（１）頭部１０と、
（２）軸部１１とを備えている。
（３）また、この雄部材１の軸部１１には、後述する雌部材２の入れ込み空間２１ｆ内に入れ込まれた際に、この雌部材２の後述する弾性掛合片２１ａの内面に接してこの弾性掛合片２１ａの撓み込みを阻止する太さを備えた阻止部１１ａと、
（４）この雄部材１の軸部１１を雌部材２の入れ込み穴２０ａから入れ込み空間２１ｆに入れ込むことに伴って一旦弾性変形した後、この入れ込み空間２１ｆに軸部１１を入れ込み切った位置で弾発して、雌部材２の差込部２１における後述する横向きの割溝２１ｈに内方から入り込み掛合する抜け止め掛合片１１ｂとが備えられている。
【００１５】
一方、かかる雌部材２は、
（１）基部２０と、
（２）留め付け対象物Ｐに形成された取り付け穴Ｐｈへの差込部２１とを備えると共に、
（３）この差込部２１に取り付け穴Ｐｈへのこの差込部２１の差し込みに伴って一旦内向きに撓み込んだ後、この取り付け穴Ｐｈに差込部２１を差し込み切った位置で弾発して基部２０との間で留め付け対象物Ｐを挟む弾性掛合片２１ａを備えている。
（４）また、雌部材２の差込部２１には、雄部材１の軸部１１の入れ込み空間２１ｆが形成されていると共に、
雌部材２の基部２０には、この入れ込み空間２１ｆに連通した入れ込み穴２０ａが形成されており、
（５）さらに、雌部材２の弾性掛合片２１ａは、差込部２１の差し込み方向に沿った一対の縦向きの割溝２１ｇ、２１ｇと、この一対の縦向きの割溝２１ｇ、２１ｇの上端間に亘る横向きの割溝２１ｈとによって区分された差込部２１の一部によって差込部２１の先端側を中心として入れ込み空間２１ｆの内方に向けて撓み込み可能に構成されている。
【００１６】
これにより、この実施の形態にかかる留め具によれば、
（１）留め付け対象物Ｐの取り付け穴Ｐｈに雌部材２の差込部２１を差し込むことにより、この雌部材２の基部２０と弾性掛合片２１ａとにより、留め付け対象物Ｐを挟んで、この留め付け対象物Ｐに雌部材２をワンタッチで掛合させることができる。すなわち、雌部材２の差し込み手前側にある取り付け穴Ｐｈの穴口部に基部２０を、差し込み先側にある取り付け穴Ｐｈの穴口部に弾性掛合片２１ａをその弾発によって引っかけさせることができ、これにより、留め付け対象物Ｐに対し雌部材２を掛合させることができる。
（２）次いで、留め付け対象物Ｐに対してこのように雌部材２を掛合させた後、この雌部材２の基部２０に設けられた入れ込み穴２０ａから雄部材１の軸部１１を雌部材２内に入れ込ませることにより、この軸部１１を差込部２１の入れ込み空間２１ｆに入れ込ませることができる。そして、このように入れ込まれた雄部材１の軸部１１によって、雌部材２の弾性掛合片２１ａの内向きへの撓み込みを阻止させることができる。これにより、留め付け対象物Ｐに対する雌部材２の掛合状態を安定的に確保させることができる。
（３）雄部材１には、かかる雌部材２の入れ込み空間２１ｆに対する軸部１１の入れ込みに伴って、雌部材２の差込部２１に形成された横向きの割溝２１ｈに内方から入り込んで掛合する抜け止め掛合片１１ｂが形成してあることから、この入れ込み空間２１ｆに雄部材１の軸部１１を入れ込み切った状態は安定的に維持される。雄部材１の抜け止め掛合片１１ｂは、雌部材２内からの雄部材１の軸部１１の抜け出しを阻止する大きさの掛合力をもって前記横向きの割溝２１ｈに掛合されれば足りることから、この抜け止め掛合片１１ｂの剛性を高める必要はなく、すなわち、抜け止め掛合片１１ｂは撓み易く構成できる。これにより、留め付け対象物Ｐに掛合された雌部材２内への雄部材１の軸部１１の入れ込みに必要な挿入力をできる限り軽減させることができる。また、雄部材１の抜け止め掛合片１１ｂは、雌部材２の差込部２１における横向きの割溝２１ｈに掛合されることから、雌部材２の弾性掛合片２１ａを形成させるための横向きの割溝２１ｈを利用して、雌部材２の構造を複雑にすることなく、雌部材２内に軸部１１を入れ込み切らせた雄部材１のその抜け止めを防止する雌部材２との掛合をなさしめることができる。
【００１７】
図示の例にあっては、雄部材１の頭部１０は、円盤状をなすように構成されている。軸部１１は、この頭部１０の一面に軸一端を一体に接合させている。この軸部１１の軸他端、つまり、先端からこの軸部１１の長さ方向ほぼ中程の位置までは、丸棒状をなすように構成されており、この丸棒状をなす部分が前記阻止部１１ａとして機能するようにしてある。
【００１８】
阻止部１１ａの上端（頭部１０の側にある阻止部１１ａの端）と頭部１０との間に、抜け止め掛合片１１ｂが形成してある。図示の例では、かかる抜け止め掛合片１１ｂは、軸部１１の直径方向両側にそれぞれ形成してある。図示の例では、阻止部１１ａの上端に下端を一体に連接させ、かつ、頭部１０の一面に上端を一体に連接させた一対の側板１１ｇ、１１ｇによって、阻止部１１ａと頭部１０とが連接されている。そして、この一対の側板１１ｇ、１１ｇの間に形成された空間内に、抜け止め掛合片１１ｂが配されるようになっている。
【００１９】
一対の抜け止め掛合片１１ｂ、１１ｂはそれぞれ、下端を阻止部１１ａの上端に一体に連接させて頭部１０の側に向けて突き出すように設けられている。一対の抜け止め掛合片１１ｂ、１１ｂの内面間には、この抜け止め掛合片１１ｂの撓み込みを許容させる間隔が形成されている。
【００２０】
また、かかる抜け止め掛合片１１ｂの外面部には、頭部１０の側に向けられた掛合面１１ｄを備えた掛合突部１１ｃが形成されている。また、この掛合突部１１ｃにおける阻止部１１ａの上端に向けられた側には、頭部１０の側に向かうに連れて掛合突部１１ｃの突き出し寸法を次第に大きくするように傾斜した傾斜面１１ｅが形成されている。
【００２１】
また、図示の例では、雄部材１の頭部１０に、この頭部１０の上面側から一対の抜け止め掛合片１１ｂ、１１ｂをのぞき込める大きさの貫通窓１０ａが形成されており、この貫通窓１０ａを利用して抜け止め掛合片１１ｂをプラスチックの射出成形によって容易に成形できるようにしてある。
【００２２】
図示の例では、雌部材２の基部２０における入れ込み穴２０ａが、矩形の穴状をなすように構成されていると共に、この入れ込み穴２０ａを構成する向き合った一対の辺部に沿った内壁面２０ｂ、２０ｂ間の間隔に対し、雄部材１における一対の抜け止め掛合片１１ｂ、１１ｂの頂部１１ｆ、１１ｆ間の間隔がやや大きくなるようにしてある。それと共に、雌部材２の差込部２１に形成された横向きの割溝２１ｈが、この基部２０に形成された入れ込み穴２０ａにおける前記辺部に沿って形成されるようにしてある。また、雌部材２の基部２０の上面２０ｃと横向きの割溝２１ｈの上部溝壁面２１ｉとの間の寸法が、雄部材１の頭部１０の下面と抜け止め掛合片１１ｂの掛合突部１１ｃの頂部１１ｆ間の寸法よりもやや小さくなるようにしてある。
【００２３】
これにより図示の例にあっては、雌部材２の入れ込み穴２０ａを通じて雄部材１の軸部１１を雌部材２内に入れ込むことに伴って、この入れ込み穴２０ａの入れ込み先側にある穴縁部に抜け止め掛合片１１ｂにおける掛合突部１１ｃの傾斜面１１ｅを突き当てさせてこの抜け止め掛合片１１ｂを内向きにスムースに撓み込ませることができると共に、この雄部材１の軸部１１を入れ込み切った位置（雌部材２の基部２０の上面２０ｃに雄部材１の頭部１０の下面が接する位置）で抜け止め掛合片１１ｂを弾発させることができ、この弾発によって横向きの割溝２１ｈの上部溝壁面２１ｉに抜け止め掛合片１１ｂの掛合突部１１ｃの掛合面１１ｄを掛合させることができる。
【００２４】
一方、図示の例では、雌部材２の基部２０は、平面視の状態において、ほぼ矩形の外郭形状を持った盤状をなすように構成されている。また、この基部２０の一面、つまり、下面２０ｄであって、そのほぼ中央位置に、差込部２１がその上端を一体に接合させた状態で、この下面２０ｄから突き出すように設けられている。また、この雌部材２の基部２０のほぼ中央位置に、前記入れ込み穴２０ａが貫通状態に設けられている。
【００２５】
雌部材２の差込部２１は、その突き出し方向に沿った四つの面部を有した角筒状をなすように構成されている。この四つの面部のうちの幅広の一対の面部にそれぞれ、前記弾性掛合片２１ａが形成してある。この差込部２１内に前記入れ込み空間２１ｆが形成されており、この入れ込み空間２１ｆによって差込部２１は中空となっている。そして、この差込部２１の上端において、入れ込み空間２１ｆと入れ込み穴２０ａとが連通するようになっている。
【００２６】
弾性掛合片２１ａは、差込部２１における幅広の面部における差込部２１の先端側に溝下端を位置させて基部２０側に延び、溝上端を基部２０の下面２０ｄの近傍に位置させた一対の縦向きの割溝２１ｇ、２１ｇと、この基部２０の下面に沿って横向きに延びると共に、この一対の縦向きの割溝２１ｇ、２１ｇの溝上端間に亘る横向きの割溝２１ｈとによって区分された、この幅広の面部の一部によって構成されている。
【００２７】
この弾性掛合片２１ａの外面部には、この弾性掛合片２１ａの最上端との間に間隔を開けて基部２０の下面２０ｄに向いた掛合面２１ｂが形成してある。また、弾性掛合片２１ａの外面部におけるその下端と掛合面２１ｂとの間の箇所は、この掛合面２１ｂの側に近付くに連れて次第に外方に張り出す傾斜面２１ｃとなっており、この掛合面２１ｂと傾斜面２１ｃとの間に頂部２１ｄが形成されている。
【００２８】
そして、図示の例にあっては、矩形状をなす取り付け穴Ｐｈを備えた留め付け対象物Ｐとなる二枚のパネルＰ’、Ｐ’におけるこの取り付け穴Ｐｈの向き合った一対の穴縁部間の間隔よりも雌部材２の一対の弾性掛合片２１ａ、２１ａの頂部２１ｄ間の間隔がやや広くなるようにしてある。また、雌部材２の基部２０の下面２０ｄと弾性掛合片２１ａの掛合面２１ｂとの間の間隔が二枚のパネルＰ’、Ｐ’の厚さ寸法の和よりもやや大きくなるようにしてある。
【００２９】
これにより、図示の例にあっては、取り付け穴Ｐｈを連通させるように重ね合わされた二枚のパネルＰ’、Ｐ’のこの取り付け穴Ｐｈに雌部材２の差込部２１を入れ込むことに伴って、この取り付け穴Ｐｈの入れ込み先側にある穴縁部に弾性掛合片２１ａにおける傾斜面２１ｃを突き当てさせてこの弾性掛合片２１ａを内向きにスムースに撓み込ませることができると共に、この雌部材２の差込部２１を入れ込み切った位置（雌部材２の基部２０の下面２０ｄが二枚のパネルＰ’、Ｐ’のうちの上側のパネルＰ’の上面に接する位置）で弾性掛合片２１ａを弾発させることができ、この弾発によって二枚のパネルＰ’、Ｐ’のうちの下側のパネルＰ’の下面に弾性掛合片２１ａの掛合面２１ｂを掛合させることができる。
【００３０】
あるいはまた、取り付け穴Ｐｈを備えた一枚のパネルＰ’のこの取り付け穴Ｐｈに雌部材２の差込部２１を入れ込むことに伴ってこの一枚のパネルＰ’に雌部材２を掛合させた後、取り付け穴Ｐｈを備えた他の一枚のパネルＰ’のこの取り付け穴Ｐｈにさらに雌部材２の差込部２１を入れ込むことに伴ってこの他の一枚のパネルＰ’に雌部材２を重ねて掛合させることができ、これにより二枚のパネルＰ’、Ｐ’を雌部材２を介して留め合わせることができる。
【００３１】
図示の例では、一対の弾性掛合片２１ａ、２１ａの内面間の寸法は、この弾性掛合片２１ａの上端側以外の箇所では、雄部材１の軸部１１における阻止部１１ａの径とほぼ等しくなるようにしてあり、前記のように雌部材２の入れ込み穴２０ａに雄部材１の軸部１１が入れ込みきられると、雌部材２の弾性掛合片２１ａは内向きに撓み込み変形できなくなり、これにより、留め付け対象物Ｐに対する雌部材２の掛合状態は安定的に確保される。なお、弾性掛合片２１ａの上端側の内面部には、雄部材１の抜け止め掛合片１１ｂの掛合突部１１ｃとの干渉を避けるためのカット面２１ｅが形成されている。
【００３２】
また、図示の例では、雌部材２の基部２０における一辺部に沿って、立ち上がり板部２２が、この一辺部から上方に突き出すように設けられている。
【００３３】
また、図示の例にあっては、雄部材１と雌部材２とが、一端を雄部材１の頭部１０に連接させ、かつ、他端を雌部材２の基部２０に連接させた屈曲又は湾曲可能な連接片３によって連接してある。
【００３４】
具体的には、雌部材２の基部２０における立ち上がり板部２２の設けられた辺部に隣り合う一つの辺部と、雄部材１の頭部１０とが、かかる連接片３によって連接されている。図示の例では、連接片３は、雄部材１の頭部１０における一対の抜け止め掛合片１１ｂ、１１ｂの一方の突き出し側にある縁部に一端を接合させ、かつ、他端を雌部材２の基部２０に連接させた一方帯状片３０と、この一方帯状片３０に対しほぼ平行をなすように配されると共に、雄部材１の頭部１０における一対の抜け止め掛合片１１ｂ、１１ｂの他方の突き出し側にある縁部に一端を接合させ、かつ、他端を雌部材２の基部２０に連接させた他方帯状片３１とから構成されている。また、この連接片３によって雄部材１は、その軸部１１を雌部材２の差込部２１の突き出し側と反対の側に向けるようにして雌部材２の基部２０の側方に連接・配されていると共に、この連接状態において雄部材１の抜け止め掛合片１１ｂの突き出し側と雌部材２の弾性掛合片２１ａの突き出し側とが同じ向きに向けられれるようにしてある。
【００３５】
これにより、図示の例にあっては、雌部材２に雄部材１を入れ込ませるまでの間、つまり、両者を組み合わせるまでの間も、雌部材２と雄部材１とを一体的に取り扱うことができ、留め付け作業を行い易くすることができる。また、雌部材２を留め付け対象物Ｐに留め付けた後は、連接片３を屈曲又は湾曲させて、このように留め付けられた雌部材２内に雄部材１の軸部１１を支障なく入れ込むことができる。
【００３６】
特に、図示の例にあっては、前記連接片３によって雄部材１は、その軸部１１を雌部材２の差込部２１の突き出し側と反対の側に向け、かつ、雄部材１の抜け止め掛合片１１ｂの突き出し側と雌部材２の弾性掛合片２１ａの突き出し側とが同じ向きに向けられれるように連接されていることから、連接片３を屈曲又は湾曲させながら雄部材１の軸部１１を雌部材２の入れ込み穴２０ａに入れ込む動作を、雄部材１の抜け止め掛合片１１ｂが雌部材２の横向きの割溝２１ｈに掛合される向きでのみなさしめることができるようになっている。
【００３７】
なお、以上に説明した雄部材１および雌部材２における弾性変形が予定される部分へのこの弾性変形特性の付与は、典型的には、かかる両部材をプラスチックの射出成型品とすることで容易に確保することができる。
【００３８】
【発明の効果】
この発明にかかる留め具によれば、雄部材を雌部材に差し込むにあたっての挿入力を留め付け対象物側への雌部材の掛合力を低下させることなく、できる限り軽減させることができる。
【図面の簡単な説明】
【図１】留め具の斜視図
【図２】同正面図
【図３】同平面図
【図４】同底面図
【図５】同右側面図
【図６】同断面図（図５におけるＡ−Ａ線位置）
【図７】同断面図（図２におけるＢ−Ｂ線位置）
【図８】雌部材２の断面図（図２におけるＣ−Ｃ線位置）
【図９】雄部材１の断面図
【図１０】雌部材２と雄部材１との組み合わせ状態を示す断面図
【図１１】留め具の使用状態を示す正面図
【図１２】留め具の使用状態を示す正面図
【符号の説明】
Ｐ  留め付け対象物
１  雄部材
１０  頭部
１１  軸部
１１ａ  阻止部
１１ｂ  抜け止め掛合片
２  雌部材
２０  基部
２０ａ  入れ込み穴
２１  差込部
２１ａ  弾性掛合片
２１ｆ  入れ込み空間
２１ｇ  縦向きの割溝
２１ｈ  横向きの割溝
【図１】
2004270874.tif 000003
【図２】
2004270874.tif 000004
【図３】
2004270874.tif 000005
【図４】
2004270874.tif 000006
【図５】
2004270874.tif 000007
【図６】
2004270874.tif 000008
【図７】
2004270874.tif 000009
【図８】
2004270874.tif 000010
【図９】
2004270874.tif 000011
【図１０】
2004270874.tif 000012
【図１１】
2004270874.tif 000013
【図１２】
2004270874.tif 000014